(57)【要約】【課題】大型化を抑制しつつ剛性を高めることができる電気掃除機のノズルを提供すること。【解決手段】横長に形成された吸込口部８と、前後方向に通気路１２が形成された通気部９とによって略Ｔ字状に形成されたノズル本体４を有する縦型電気掃除機２のノズル１において、前記ノズル本体４の左右に、前記吸込口部８の側部近傍の後部と前記通気部９の後部近傍の側部とを接続するように、一対の梁状の補強部１０を形成したことで、前記吸込口部８と通気部９を細く形成しても、梁状の補強部１０によって剛性を確保することができるので、前記ノズル１を縦型電気掃除機２に使用した場合、この縦型電気掃除機２を転倒し難くすることができるばかりでなく、電気掃除機の形式に拘わらず、前記ノズル１を障害物に衝突させたとしても、破損し難くすることができる。【選択図】図１
2012000397.tif 000002
【特許請求の範囲】
【請求項１】
横長に形成された吸込口部と、前後方向に通気路が形成された通気部とによって略Ｔ字状に形成されたノズル本体を有する電気掃除機のノズルにおいて、
前記ノズル本体の左右に、前記吸込口部の側部近傍と前記通気部の後部近傍とを接続するように、一対の梁状の補強部を形成したことを特徴とする電気掃除機のノズル。
【請求項２】
前記各補強部を、これらの補強部同士の左右方向の距離が、前端部よりも後端部において狭くなるように、傾斜させて設けたことを特徴とする請求項１記載の電気掃除機のノズル。
【発明の詳細な説明】
【技術分野】
【０００１】
本発明は、電気掃除機のノズルに関するものである。
【背景技術】
【０００２】
従来、この種の電気掃除機のノズルとしては、横長に形成された吸込口部と、前後方向に通気路が形成された通気部とによって略Ｔ字状に形成されたノズル本体を有するものが知られている（例えば、特許文献１、２参照。）。なお、電気掃除機のノズルは、電気掃除機の形式によって形状が異なる。例えば、特許文献１のような縦型電気掃除機では、不使用時に掃除機本体を安定して直立させておくことができるように、ノズルは前後方向に長く形成される。このように、縦型電気掃除機では、ノズルを前後方向に長くすることによって、掃除機本体の重心をノズル上に確実に位置させることができる。一方、特許文献２のような横型電気掃除機では、不使用時に掃除機本体をノズルによって支持する必要がないため、ノズルは前後方向に短く形成することができる。そして、このような横型電気掃除機では、前記ノズル本体の吸込口部は、気流と塵埃を吸引することができる太さであればよい。
【先行技術文献】
【特許文献】
【０００３】
【特許文献１】特開２００５−１０２８９２号公報
【特許文献２】特開２００９−２９７３７８号公報
【発明の概要】
【発明が解決しようとする課題】
【０００４】
しかしながら、特許文献１のような縦型電気掃除機では、単純に通気部を長くしてノズル本体を前後方向に長く形成するだけでは、ノズル本体の剛性が低くなってしまう。そして、ノズル本外の剛性が低いと、掃除機本体に外力が加わることでノズル本体が捻れてしまい、掃除機本体が傾いて掃除機本体の重心がノズル上から外れ、掃除機が転倒してしまう虞がある。また、縦型電気掃除機では、清掃中に掃除機本体ごとノズルを動かすことにより、動かす質量が大きくなり、これによって慣性が大きくなるので、ノズルを障害物に衝突させた際にノズルが受ける衝撃が、横型電気掃除機に比べて大きくなる傾向にある。このため、特許文献１のような縦型電気掃除機のノズルは、特許文献２のような横型電気掃除機のノズルに比べ、ノズル本体の吸込口部を太くすることで、ノズル本体の剛性を高める必要がある。このように、ノズル本体の吸込口部を太くすると、ノズル本体が大型化してしまうので、取り回しが容易ではなくなってしまうという問題がある。
【０００５】
本発明は以上の問題点を解決し、大型化を抑制しつつ剛性を高めることができる電気掃除機のノズルを提供することを目的とする。
【課題を解決するための手段】
【０００６】
本発明の請求項１に記載の電気掃除機のノズルは、横長に形成された吸込口部と、前後方向に通気路が形成された通気部とによって略Ｔ字状に形成されたノズル本体を有する電気掃除機のノズルにおいて、前記ノズル本体の左右に、前記吸込口部の側部近傍と前記通気部の後部近傍とを接続するように、一対の梁状の補強部を形成したものである。
【０００７】
また、本発明の請求項２に記載の電気掃除機のノズルは、請求項１において、前記各補強部を、これらの補強部同士の左右方向の距離が、前端部よりも後端部において狭くなるように、傾斜させて設けたものである。
【発明の効果】
【０００８】
本発明の請求項１に記載の電気掃除機のノズルは、以上のように構成することにより、前記吸込口部と通気部を細く形成しても、梁状の補強部によって剛性を確保することができる。これによって、前記ノズルを縦型電気掃除機に使用した場合、この縦型電気掃除機を転倒し難くすることができる。また、電気掃除機の形式に拘わらず、ノズルを障害物に衝突させたとしても、破損し難くすることができる。
【０００９】
また、前記各補強部を、これらの補強部同士の左右方向の距離が、前端部よりも後端部において狭くなるように、傾斜させて設けたことにより、前記ノズルを後方に引いた際に、前記吸込口部を障害物に引っ掛けにくくすることができるばかりでなく、後方からの衝突時の衝撃を逃がして破損し難くすることができる。
【図面の簡単な説明】
【００１０】
【図１】本発明の一実施形態を示す電気掃除機のノズルの平面図である。
【図２】同、底面図である。
【図３】同、正面図である。
【図４】同、掃除機本体に取り付けた状態の正面図である。
【発明を実施するための形態】
【００１１】
以下、本発明の実施形態について、図１乃至図４に基づいて説明する。１は本発明に係るノズルである。このノズル１は、縦型電気掃除機２を構成する掃除機本体３に対して着脱自在に取り付けられる。
【００１２】
前記ノズル１は、ノズル本体４と、このノズル本体４に対して可動に取り付けられた接続部５と、一対の前輪６及び一対の後輪７とを有して構成される。前記ノズル本体４は、吸込口部８と、通気部９と、補強部１０とを有して構成される。前記吸込口部８は、前記前輪６及び後輪７の転がり方向に対して直交する方向に長く形成される。即ち、前記吸込口部８は、左右方向に長く形成される。そして、前記吸込口部８の底部には、横長の吸込口１１が形成される。また、前記吸込口部８の前部の左右両端部には、一対の前記前輪６が設けられる。一方、前記通気部９は、前記前輪６及び後輪７の転がり方向に沿って通気路１２が形成される。即ち、前記通気部９は、前後方向に前記通気路１２が形成される。更に、前記通気部９の前部は、前記吸込口部８の中央部に接続される。これによって、前記吸込口部８と通気部９は略Ｔ字状に接続されると共に、前記吸込口１１と通気路１２も略Ｔ字状に接続される。そして、前記吸込口部８の側部近傍の後部と、前記通気部９の後部近傍の側部とを接続するように、前記補強部１０が左右一対設けられる。これらの補強部１０は、梁状に形成される。なお、これらの補強部１０は、これらの補強部１０同士の左右方向の距離が、前端部よりも後端部において狭くなるように、傾斜させて設けられる。更に、前記補強部１０の中間部は、それぞれ第二補強部１３によって前記通気部９の側部に接続される。そして、このように、前記各補強部１０及び第二補強部１３によって補強されることで、前記吸込口部８及び通気部９を細く形成したとしても、前記ノズル本体４の剛性を十分に確保することができる。従って、前記ノズル本体４に必要な剛性を確保した状態で、前記ノズル本体４の重量の増加を抑えることができる。
【００１３】
次に、本実施形態の作用について説明する。前記縦型電気掃除機２は、不使用時には、床Ｆ上に立てて置かれる。この際、前記ノズル１は床Ｆに置かれ、また、前記掃除機本体３は立てられる。この状態において、前記ノズル１は、その一対の前輪６と一対の後輪７とが床Ｆに接する。即ち、前記縦型電気掃除機２は、前記ノズル１の前輪６と後輪７が床Ｆに接する点を結んだ領域上に前記掃除機本体３の重心が位置すれば、立てて置くことができる。そして、前記ノズル本体４の通気部９が前後方向に長ければ、前記前輪６と後輪７との距離が長くなることで、前記前輪６と後輪７が床Ｆに接する点を結んだ領域の面積が大きくなるので、前記縦型電気掃除機２を安定して立てて置くことができる。なお、前記ノズル本体４は、その通気部９が前後に長いものの、前記吸込口部８の側部近傍の後部と、前記通気部９の後部近傍の側部とを接続するように、梁状の前記補強部１０を設けたことで、捻れに対する強度が確保される。従って、立てた状態の前記縦型電気掃除機２の掃除機本体３に触れることで前記ノズル１に力が加わったとしても、前記ノズル本体４の捻れが抑えられるので、前記縦型電気掃除機２を転倒し難くすることができる。
【００１４】
前記縦型掃除機２によって床Ｆを清掃する場合、使用者は、前記掃除機本体３の図示しない把持部を把持し、前記ノズル１を、前記前輪６及び後輪７の転がり方向、即ち前後方向に往復するように床Ｆ上を移動させる。この際、床Ｆ上に障害物があると、清掃中に前記ノズル１を障害物に衝突させてしまう虞がある。特に、本実施形態のような、前記縦型電気掃除機２の場合、動かされる質量が大きいため、衝突時に前記ノズル１が受ける衝撃が大きくなる傾向にある。しかしながら、前述したように、前記吸込口部８の側部近傍の後部と、前記通気部９の後部近傍の側部とを接続するように、梁状の前記補強部１０を設けたことで、前記吸込口部８及び通気部９を従来の縦型電気掃除機で用いられるノズルに比べて細くしたとしても、前記ノズル本体４の剛性が十分確保されるので、前記ノズル１を床Ｆ上の障害物に衝突させた際に前記ノズル１を破損し難くすることができる。また、前記補強部１０を梁状としたことで、前記補強部１０が衝撃によって撓むので、衝突時の衝撃を吸収して前記ノズルを破損し難くすることができる。特に、前記ノズル１を後方に引くことで、前記補強部１０を障害物に衝突させた場合、前記補強部１０が、図１に示すように、前記吸込口部８の右又は左の端部近傍と前記通気部９の後部近傍を接続するように、傾斜させて設けられることで、衝突時の衝撃を斜めに逃がすことができる。これによって、前記ノズル１をより破損させにくくすることができる。
【００１５】
また、前記補強部１０を梁状としたことで、前記ノズル１の重量の増加を最小限に抑えることができる。更に、前記補強部１０を、前記吸込口部８の右又は左の端部近傍と前記通気部９の後部近傍を接続するように、傾斜させて設けたことで、障害物を前記ノズル１の吸込口部８に引っ掛けにくくすることもできる。これらの要因によって、前記ノズル１を用いた縦型電気掃除機２の、清掃時における取扱性を向上させることができる。なお、これらの効果は、縦型電気掃除機２に限らず、他の形式の電気掃除機であっても奏することができる。
【００１６】
以上のように、本発明は、横長に形成された吸込口部８と、前後方向に通気路１２が形成された通気部９とによって略Ｔ字状に形成されたノズル本体４を有する縦型電気掃除機２のノズル１において、前記ノズル本体４の左右に、前記吸込口部８の側部近傍と前記通気部９の後部近傍とを接続するように、一対の梁状の補強部１０を形成したことで、前記吸込口部８と通気部９を細く形成しても、梁状の補強部１０によって剛性を確保することができるので、前記ノズル１を縦型電気掃除機２に使用した場合、この縦型電気掃除機２を転倒し難くすることができるばかりでなく、電気掃除機の形式に拘わらず、前記ノズル１を障害物に衝突させたとしても、破損し難くすることができるものである。
【００１７】
また、本発明は、前記各補強部１０を、これらの補強部１０同士の左右方向の距離が、前端部よりも後端部において狭くなるように、傾斜させて設けたことで、前記ノズル１を後方に引いた際に、前記吸込口部８を障害物に引っ掛けにくくすることができるばかりでなく、後方からの衝突時の衝撃を斜めに逃がし、前記ノズル１を破損し難くすることができるものである。
【００１８】
なお、本発明は以上の実施形態に限定されるものではなく、発明の要旨の範囲内で種々の変形実施が可能である。例えば、上記実施形態では、補強部に第二補強部を設けたが、剛性を十分確保できるのであれば、第二補強部は必ずしも設けなくても良い。逆に、補強部を細く形成し、第二補強部を複数も受けるようにしても良い。
【産業上の利用可能性】
【００１９】
本発明のノズルは、縦型電気掃除機において最大の効果を発揮する。しかしながら、ノズル自体は電気掃除機の部品であるので、あらゆる形式の電気掃除機に採用することが可能である。縦型電気掃除機以外の形式の電気掃除機に、本発明のノズルを採用した場合、転倒し難いという効果は発揮できないものの、軽量な構造でありながら剛性を確保できる、取扱性を向上させることができる、及び吸込口部を障害物に引っ掛けにくいという効果は発揮することができる。
【符号の説明】
【００２０】
１  ノズル
４  ノズル本体
８  吸込口部
９  通気部
１０  補強部
１２  通気路
【図１】
2012000397.tif 000003
【図２】
2012000397.tif 000004
【図３】
2012000397.tif 000005
【図４】
2012000397.tif 000006